(57)【要約】【課題】ブッシュを損傷することなく、ラジエータサポートのアッパタンク又はロアタンクへの組付工数を低減する。【解決手段】ラジエータコア１１の上端及び下端にアッパタンク１２及びロアタンクを配設し、ラジエータコアの両側端面にラジエータサポート１６を配設する。ラジエータサポートの上端に弾性変形可能な一対のアッパアーム１６ａ，１６ａを設け、一対のアッパアームがアッパタンクを挟んだ状態でアッパ結合手段１７により結合する。一対のアッパアームの先端に一対の通孔１７ａ，１７ａを形成し、一対の通孔に対向するようにアッパタンクに一対の穴１７ｂ，１７ｂを形成する。一部が一対の穴から突出するように一対の穴にゴム製の一対のブッシュ１７ｃ，１７ｃを挿入し、一対のアッパアーム及びアッパタンクに一対のアッパアームの先端を拡げるアッパ拡幅手段１９を設ける。【選択図】  図１
2005016764.tif 000002
【特許請求の範囲】
【請求項１】
ラジエータコア（１１）の上端及び下端にアッパタンク（１２）及びロアタンク（１３）が配設され、前記ラジエータコア（１１）の両側端面にラジエータサポート（１６）が配設され、前記ラジエータサポート（１６）の上端に弾性変形可能な一対のアッパアーム（１６ａ，１６ａ）が設けられ、前記一対のアッパアーム（１６ａ，１６ａ）が前記アッパタンク（１２）を挟んだ状態でアッパ結合手段（１７）により前記アッパタンク（１２）に結合されたラジエータサポートの取付構造において、
前記アッパ結合手段（１７）が、前記一対のアッパアーム（１６ａ，１６ａ）の先端にそれぞれ形成された一対の通孔（１７ａ，１７ａ）と、前記一対の通孔（１７ａ，１７ａ）に対向するように前記アッパタンク（１２）にそれぞれ形成された一対の穴（１７ｂ，１７ｂ）と、一部が前記一対の穴（１７ｂ，１７ｂ）から突出するように前記一対の穴（１７ｂ，１７ｂ）にそれぞれ挿入されたゴム製の一対のブッシュ（１７ｃ，１７ｃ）とを有し、
前記一対のアッパアーム（１６ａ，１６ａ）及び前記アッパタンク（１２）に前記一対のアッパアーム（１６ａ，１６ａ）の先端を拡げるアッパ拡幅手段（１９）が設けられたことを特徴とするラジエータサポートの取付構造。
【請求項２】
アッパ拡幅手段（１９）が、アッパタンク（１２）の側端面から一対の穴（１７ｂ，１７ｂ）に向うに従って次第に拡がるように前記側端面及び一対の穴（１７ｂ，１７ｂ）間にそれぞれ形成された一対の傾斜面（１９ａ，１９ａ）と、互いに近付く方向に突出するように前記一対のアッパアーム（１６ａ，１６ａ）にそれぞれ形成された一対の凸部（１９ｂ，１９ｂ）とを有し、
前記一対のアッパアーム（１６ａ，１６ａ）を前記アッパタンク（１２）に嵌入するとき前記一対の凸部（１９ｂ，１９ｂ）が前記一対の傾斜面（１９ａ，１９ａ）に接触して前記一対のアッパアーム（１６ａ，１６ａ）の先端の間隔を拡げるように構成された請求項１記載のラジエータサポートの取付構造。
【請求項３】
アッパタンク（１２）の一対の穴（１７ｂ，１７ｂ）と一対の傾斜面（１９ａ，１９ａ）との間に前記一対の凸部（１９ｂ，１９ｂ）を収容するための一対の凹部（１９ｃ，１９ｃ）がそれぞれ形成された請求項２記載のラジエータサポートの取付構造。
【請求項４】
ラジエータコアの上端及び下端にアッパタンク及びロアタンクが配設され、前記ラジエータコアの両側端面にラジエータサポートが配設され、前記ラジエータサポートの下端に弾性変形可能な一対のロアアームが設けられ、前記一対のロアアームが前記ロアタンクを挟んだ状態でロア結合手段により前記ロアタンクに結合されたラジエータサポートの取付構造において、
前記ロア結合手段が、前記一対のロアアームの先端にそれぞれ形成された一対の通孔と、前記一対の通孔に対向するように前記ロアタンクにそれぞれ形成された一対の穴と、一部が前記一対の穴から突出するように前記一対の穴にそれぞれ挿入されたゴム製の一対のブッシュとを有し、
前記一対のロアアーム及び前記ロアタンクに前記一対のロアアームの先端を拡げるロア拡幅手段が設けられたことを特徴とするラジエータサポートの取付構造。
【請求項５】
ロア拡幅手段が、ロアタンクの側端面から前記一対の穴に向うに従って次第に拡がるように前記側端面及び一対の穴間にそれぞれ形成された一対の傾斜面と、互いに近付く方向に突出するように前記一対のロアアームにそれぞれ形成された一対の凸部とを有し、
前記一対のロアアームを前記ロアタンクに嵌入するとき前記一対の凸部が前記一対の傾斜面に接触して前記一対のロアアームの先端の間隔を拡げるように構成された請求項４記載のラジエータサポートの取付構造。
【請求項６】
ロアタンクの一対の穴と一対の傾斜面との間に前記一対の凸部を収容するための一対の凹部がそれぞれ形成された請求項５記載のラジエータサポートの取付構造。
【発明の詳細な説明】
【０００１】
【発明の属する技術分野】
本発明は、上端及び下端にアッパタンク及びロアタンクをそれぞれ有するラジエータコアの両側端面に配設されるラジエータサポートの取付構造に関するものである。
【０００２】
【従来の技術】
従来、この種のラジエータサポートの取付構造として、ラジエータコアの上端及び下端にアッパタンク及びロアタンクが配設され、ラジエータコアの両側にラジエータサポートが配設され、ラジエータサポートの上端及び下端がアッパタンク及びロアタンクにネジ手段により取付けられたラジエータサポートの取付構造が知られている（例えば、特許文献１参照）。このラジエータサポートの取付構造では、ネジ手段がラジエータサポートの上端又は下端のいずれか又は双方の前面からアッパタンク及びロアタンクに螺合される第１ボルトと、ラジエータサポートの上端又は下端のいずれか又は双方の後面から第１ボルトの近傍に設けられ第１ボルトと偏倚してアッパタンク及びロアタンクに螺合される第２ボルトとを備える。
このように構成されたラジエータサポートの取付構造では、第１及び第２ボルトをそれぞれ偏倚してアッパタンク及びロアタンクに螺合することにより、ボルトを支点としたラジエータサポートとアッパタンク又はロアタンクの取付け角度が変化することを防止できるようになっている。
【０００３】
【特許文献１】
特開平１０−２２７５９２号公報
【０００４】
【発明が解決しようとする課題】
上記従来の特許文献１に示されたラジエータサポートの取付構造では、ラジエータ内の冷却水の温度変化によるラジエータの各部材の熱膨張及び熱収縮の相違に基づく各部材間の歪みを吸収するため、第１及び第２ボルトが挿入されるアッパタンクの通孔に、ゴム製のブッシュがそれぞれ挿入される。この場合、ブッシュはラジエータサポート上部の一対のフランジ部により圧縮された状態で用いられるため、ラジエータサポートのアッパタンクへの組付時に、通孔から突出したブッシュの一部を損傷しないように、ラジエータサポート上部の一対のフランジ部の間隔を拡げてアッパタンクを挟んだ後に治具等で正規の間隔に修正する必要があり、組付工数が増大する不具合があった。
【０００５】
本発明の目的は、ブッシュを損傷することなく、ラジエータサポートのアッパタンク又はロアタンクへの組付工数を低減できる、ラジエータサポートの取付構造を提供することにある。
本発明の別の目的は、アッパ拡幅手段又はロア拡幅手段により開いた一対のアッパアーム又は一対のロアアームの間隔を速やかに正規の間隔に戻すことができる、ラジエータサポートの取付構造を提供することにある。
【０００６】
【課題を解決するための手段】
請求項１に係る発明は、図１、図２及び図５に示すように、ラジエータコア１１の上端及び下端にアッパタンク１２及びロアタンク１３が配設され、ラジエータコア１１の両側端面にラジエータサポート１６が配設され、ラジエータサポート１６の上端に弾性変形可能な一対のアッパアーム１６ａ，１６ａが設けられ、一対のアッパアーム１６ａ，１６ａがアッパタンク１２を挟んだ状態でアッパ結合手段１７によりアッパタンク１２に結合されたラジエータサポートの取付構造の改良である。
その特徴ある構成は、アッパ結合手段１７が、一対のアッパアーム１６ａ，１６ａの先端にそれぞれ形成された一対の通孔１７ａ，１７ａと、一対の通孔１７ａ，１７ａに対向するようにアッパタンク１２にそれぞれ形成された一対の穴１７ｂ，１７ｂと、一部が一対の穴１７ｂ，１７ｂから突出するように一対の穴１７ｂ，１７ｂにそれぞれ挿入されたゴム製の一対のブッシュ１７ｃ，１７ｃとを有し、一対のアッパアーム１６ａ，１６ａ及びアッパタンク１２に一対のアッパアーム１６ａ，１６ａの先端を拡げるアッパ拡幅手段１９が設けられたところにある。
【０００７】
この請求項１に記載されたラジエータサポートの取付構造では、アッパタンク１２の一対の穴１７ｂ，１７ｂに一対のブッシュ１７ｃ，１７ｃを挿入した状態で、一対のアッパアーム１６ａ，１６ａをアッパタンク１２に嵌入していくと、アッパ拡幅手段１９が一対のアッパアーム１６ａ，１６ａの先端の間隔を拡げられるので、一対のアッパアーム１６ａ，１６ａの先端が一対の穴１７ｂ，１７ｂから突出している一対のブッシュ１７ｃ，１７ｃの外周面に接触せず、一対のブッシュ１７ｃ，１７ｃの外周面が一対のアッパアーム１６ａ，１６ａにより損傷しない。
【０００８】
請求項２に係る発明は、請求項１に係る発明であって、更に図１及び図２に示すように、アッパ拡幅手段１９が、アッパタンク１２の側端面から一対の穴１７ｃ，１７ｃに向うに従って次第に拡がるように上記側端面及び一対の穴１７ｂ，１７ｂ間にそれぞれ形成された一対の傾斜面１９ａ，１９ａと、互いに近付く方向に突出するように一対のアッパアーム１６ａ，１６ａにそれぞれ形成された一対の凸部１９ｂ，１９ｂとを有し、一対のアッパアーム１６ａ，１６ａをアッパタンク１２に嵌入するとき一対の凸部１９ｂ，１９ｂが一対の傾斜面１９ａ，１９ａに接触して一対のアッパアーム１６ａ，１６ａの先端の間隔を拡げるように構成されたことを特徴とする。
この請求項２に記載されたラジエータサポートの取付構造では、アッパタンク１２の一対の穴１７ｂ，１７ｂに一対のブッシュ１７ｃ，１７ｃを挿入した状態で、一対のアッパアーム１６ａ，１６ａをアッパタンク１２に嵌入していくと、一対の凸部が一対の傾斜面に当接し、一対のアッパアームが弾性変形して一対のアッパアームの先端の間隔が一対の傾斜面により拡げられるので、一対のアッパアームの先端が一対の穴から突出している一対のブッシュの外周面に接触せず、一対のブッシュの外周面が一対のアッパアームにより損傷しない。
【０００９】
請求項３に係る発明は、請求項２に係る発明であって、更に図１及び図２に示すように、アッパタンク１２の一対の穴１７ｃ，１７ｃと一対の傾斜面１９ａ，１９ａとの間に一対の凸部１９ｂ，１９ｂを収容するための一対の凹部１９ｃ，１９ｃがそれぞれ形成されたことを特徴とする。
この請求項３に記載されたラジエータサポートの取付構造では、一対のアッパアーム１６ａ，１６ａをアッパタンク１２に嵌入して、一対の凸部１９ｂ，１９ｂが一対の傾斜面１９ａ，１９ａに接触して一対のアッパアーム１６ａ，１６ａの先端の間隔が拡げられた後に、更に一対のアッパアーム１６ａ，１６ａをアッパタンク１２に嵌入していくと、一対の凸部１９ｂ，１９ｂが一対の凹部１９ｃ，１９ｃに収容され、上記弾性変形していた一対のアッパアーム１６ａ，１６ａが正規の間隔に戻って一対のブッシュ１７ｃ，１７ｃを圧縮するとともに、一対の通孔１７ａ，１７ａが一対の穴１７ｂ，１７ｂに一致する。
【００１０】
請求項４に係る発明は、ラジエータコアの上端及び下端にアッパタンク及びロアタンクが配設され、ラジエータコアの両側端面にラジエータサポートが配設され、ラジエータサポートの下端に弾性変形可能な一対のロアアームが設けられ、一対のロアアームがロアタンクを挟んだ状態でロア結合手段によりロアタンクに結合されたラジエータサポートの取付構造の改良である。
その特徴ある構成は、ロア結合手段が、一対のロアアームの先端にそれぞれ形成された一対の通孔と、一対の通孔に対向するようにロアタンクにそれぞれ形成された一対の穴と、一部が一対の穴から突出するように一対の穴にそれぞれ挿入されたゴム製の一対のブッシュとを有し、一対のロアアーム及びロアタンクに一対のロアアームの先端を拡げるロア拡幅手段が設けられたところにある。
【００１１】
この請求項４に記載されたラジエータサポートの取付構造では、ロアタンクの一対の穴に一対のブッシュを挿入した状態で、一対のロアアームをロアタンクに嵌入していくと、ロア拡幅手段が一対のロアアームの先端の間隔を拡げられるので、一対のロアアームの先端が一対の穴から突出している一対のブッシュの外周面に接触せず、一対のブッシュの外周面が一対のロアアームにより損傷しない。
【００１２】
請求項５に係る発明は、請求項４に係る発明であって、更にロア拡幅手段が、ロアタンクの側端面から一対の穴に向うに従って次第に拡がるように上記側端面及び一対の穴間にそれぞれ形成された一対の傾斜面と、互いに近付く方向に突出するように一対のロアアームにそれぞれ形成された一対の凸部とを有し、一対のロアアームをロアタンクに嵌入するとき一対の凸部が一対の傾斜面に接触して一対のロアアームの先端の間隔を拡げるように構成されたことを特徴とする。
この請求項５に記載されたラジエータサポートの取付構造では、ロアタンクの一対の穴に一対のブッシュを挿入した状態で、一対のロアアームをロアタンクに嵌入していくと、一対の凸部が一対の傾斜面に当接し、一対のロアアームが弾性変形して一対のロアアームの先端の間隔が一対の傾斜面により拡げられるので、一対のロアアームの先端が一対の穴から突出している一対のブッシュの外周面に接触せず、一対のブッシュの外周面が一対のロアアームにより損傷しない。
【００１３】
請求項６に係る発明は、請求項５に係る発明であって、更にロアタンクの一対の穴と一対の傾斜面との間に一対の凸部を収容するための一対の凹部がそれぞれ形成されたことを特徴とする。
この請求項６に記載されたラジエータサポートの取付構造では、一対のロアアームをロアタンクに嵌入して、一対の凸部が一対の傾斜面に接触して一対のロアアームの先端の間隔が拡げられた後に、更に一対のロアアームをロアタンクに嵌入していくと、一対の凸部が一対の凹部に収容され、上記弾性変形していた一対のロアアームが正規の間隔に戻って一対のブッシュを圧縮するとともに、一対の通孔が一対の穴に一致する。
【００１４】
【発明の実施の形態】
次に本発明の実施の形態を図面に基づいて説明する。
図１及び図５に示すように、ラジエータ１０は、ラジエータコア１１と、このラジエータコア１１の上部及び下部に配設されたアッパタンク１２及びロアタンク１３とを備える。ラジエータコア１１は多数のチューブ１１ａと多数のフィン１１ｂとを有する。これらのチューブ１１ａ及びフィン１１ｂは厚さの薄い金属条、具体的には銅やアルミニウムにより形成される。またチューブ１１ａは断面長円状に形成され、チューブ１１ａの外周部には波形に形成されたフィン１１ｂがチューブ１１ａのほぼ全長にわたって固着される。フィン１１ｂは歯車型ロールによって波形に形成され、チューブ１１ａとフィン１１ｂは交互に配設される。更にチューブ１１ａとフィン１１ｂによりラジエータコア１１が形成され、チューブ１１ａの上端及び下端は上部コアプレート１４（図１）及び下部コアプレート（図示せず）にそれぞれ接合される。
【００１５】
一方、アッパタンク１２及びロアタンク１３は合成樹脂の射出成形により作製される。アッパタンク１２の一方の側面には冷却水を導入する冷却水導入管１２ａがアッパタンク１２と一体的に形成され、ロアタンク１３の一方の側面には冷却水を排出する冷却水排出管１３ａがロアタンク１３と一体的に形成される（図５）。エンジン（図示せず）で暖められた冷却水が上記冷却水導入管１２ａからアッパタンク１２内に流入し、ラジエータコア１１で冷却された冷却水はロアタンク１３を通って冷却水排出管１３ａから再びエンジンの冷却水系に供給されるようになっている。
【００１６】
またラジエータコア１１の上部及び下部にアッパタンク１２及びロアタンク１３がそれぞれ取付けられた状態で、ラジエータコア１１の両側端面からアッパタンク１２の両側端面及びロアタンク１３の両側端面に延びる一対のラジエータサポート１６，１６が配設される。ラジエータサポート１６の上端には斜め上方に延びる弾性変形可能な一対のアッパアーム１６ａ，１６ａが設けられ、これらのアッパアーム１６ａ，１６ａがアッパタンク１２を挟んだ状態でアッパ結合手段１７によりラジエータサポート１６上部がアッパタンク１２に結合される（図１及び図２）。またラジエータサポート１６の下端には斜め下方に延びる弾性変形可能な一対のロアアーム１６ｂが設けられ、これらのロアアーム１６ｂがロアタンク１３を挟んだ状態でロア結合手段１８により結合される（図５）。
【００１７】
本実施の形態の特徴ある構成は、アッパ結合手段１７が、一対のアッパアーム１６ａ，１６ａの先端にそれぞれ形成された一対の通孔１７ａ，１７ａと、一対の通孔１７ａ，１７ａに対向するようにアッパタンク１２にそれぞれ形成された一対の穴１７ｂ，１７ｂと、一部が一対の穴１７ｂ，１７ｂから突出するように一対の穴１７ｂ，１７ｂにそれぞれ挿入されたゴム製の一対のブッシュ１７ｃ，１７ｃとを有し、一対のアッパアーム１６ａ，１６ａ及びアッパタンク１２に一対のアッパアーム１６ａ，１６ａの先端を拡げるアッパ拡幅手段１９が設けられたところにある（図１〜図４）。
【００１８】
上記アッパ結合手段１７は、一部が一対の穴１７ｂ，１７ｂから突出するように一対のブッシュ１７ｃ，１７ｃにそれぞれ挿入された金属製の一対のカラー１７ｄ，１７ｄと、一対の通孔１７ａ，１７ａ及び一対の穴１７ｂ，１７ｂにそれぞれ挿入された一対のアッパボルト１７ｅ，１７ｅと、一対の穴１７ｂ，１７ｂの一部を横切るようにアッパタンク１２にそれぞれ形成された一対のアッパナット収容凹部１７ｆ，１７ｆと、これらのアッパナット収容凹部１７ｆ，１７ｆにそれぞれ収容され一対のアッパボルト１７ｅ，１７ｅがそれぞれ螺合されるアッパナット１７ｇ，１７ｇとを更に有する。上記カラー１７ｄはブッシュ１７ｃよりは短く形成される、即ちカラー１７ｄはその一部が穴１７ｂから僅かに突出する長さに形成される（図３及び図４）。またブッシュ１７ｃ及びカラー１７ｄの先端はアッパナット収容凹部１７ｆに収容されたアッパナット１７ｇの端面に当接するように構成される。なお、上記のアッパタンク１２及びアッパアーム１６ａに設けられたアッパ結合手段１７は、アッパタンク１２及びラジエータサポート１６上部の結合のみならず、ラジエータ１０の各部材の熱膨張及び熱収縮の相違に基づく各部材間の歪みを吸収する機構をも兼ね備える。
【００１９】
一方、アッパ拡幅手段１９は、アッパタンク１２の側端面から一対の穴１７ｂ，１７ｂに向うに従って次第に拡がるように上記側端面及び一対の穴１７ｂ，１７ｂ間にそれぞれ形成された一対の傾斜面１９ａ，１９ａと、互いに近付く方向に突出するように一対のアッパアーム１６ａ，１６ａにそれぞれ形成された一対の凸部１９ｂ，１９ｂとを有する（図１及び図２）。一対の凸部１９ｂ，１９ｂは一対のアッパアーム１６ａ，１６ａの略中央に形成される。換言すると、一対のアッパアーム１６ａをアッパタンク１２に嵌入して、一対の凸部１９ｂ，１９ｂが一対の傾斜面１９ａ，１９ａに接触して一対のアッパアーム１６ａ，１６ａの先端の間隔が拡げられるときに、一対のアッパアーム１６ａ，１６ａの先端が一対のブッシュ１７ｃ，１７ｃの外周面に達しない位置（接触しない位置）に、一対の凸部１９ｂ，１９ｂがそれぞれ形成される。またアッパタンク１２には、一対の穴１７ｂ，１７ｂと一対の傾斜面１９ａ，１９ａとの間に位置するように一対の凹部１９ｃ，１９ｃがそれぞれ形成される。これらの凹部１９ｃ，１９ｃは、一対のアッパアーム１６ａ，１６ａに形成された一対の通孔１７ａ，１７ａがアッパタンク１２に形成された一対の穴１７ｂ，１７ｂにそれぞれ一致したときに、一対の凸部１９ｂ，１９ｂを収容可能に構成される。
【００２０】
更に、ロア結合手段１８は、一対のロアアーム１６ｂの先端にそれぞれ形成された一対の通孔（図示せず）と、一対の通孔に対向するようにロアタンク１３にそれぞれ形成された一対の穴（図示せず）と、一対の通孔及び一対の穴にそれぞれ挿入する一対のロアボルト１８ａと、一対の穴の一部を横切るようにロアタンクにそれぞれ形成された一対のロアナット収容凹部（図示せず）と、これらのロアナット収容凹部にそれぞれ収容され一対のロアボルト１８ａがそれぞれ螺合されるロアナット（図示せず）とを有する（図５）。なお、ロア結合手段は、アッパ結合手段のブッシュ、カラー及びアッパ拡幅手段に相当するブッシュ、カラー及びロア拡幅手段を有しない。
【００２１】
このように構成されたラジエータサポート１６の組付手順を説明する。
先ずラジエータコア１１の上部及び下部にアッパタンク１２及びロアタンク１３がそれぞれ取付ける。次いでラジエータサポート１６の一対のロアアーム１６ｂをロアタンク１３に嵌入した後に、ロアボルト１８ａをロアナットに緩く螺合（仮締め）して一対のロアアーム１６ｂをロアタンク１３に結合する。次にアッパタンク１２の一対のアッパナット収容凹部１７ｆ，１７ｆに一対のアッパナット１７ｇ，１７ｇをそれぞれ収容した後に（図２（ａ）及び図３）、アッパタンク１２に形成された一対の穴１７ｂ，１７ｂに一対のブッシュ１７ｃ，１７ｃ及び一対のカラー１７ｄ，１７ｄをそれぞれ挿入する。この状態でラジエータサポート１６をロアボルト１８ａを中心に回転させて一対のアッパアーム１６ａ，１６ａをアッパタンク１２に嵌入していくと、一対の凸部１９ｂ，１９ｂが一対の傾斜面１９ａ，１９ａに当接し、一対のアッパアーム１６ａ，１６ａが弾性変形して一対のアッパアーム１６ａ，１６ａの先端の間隔が一対の傾斜面１９ａ，１９ａにより拡げられるので（図２（ｂ））、一対のアッパアーム１６ａ，１６ａの先端が一対の穴１７ｂ，１７ｂから突出している一対のブッシュ１７ｃ，１７ｃの外周面に接触しない。この結果、一対のブッシュ１７ｃ，１７ｃの外周面が一対のアッパアーム１６ａ，１６ａにより損傷することはない。
【００２２】
更に一対のアッパアーム１６ａ，１６ａをアッパタンク１２に嵌入していくと、一対の凸部１９ｂ，１９ｂが一対の凹部１９ｃ，１９ｃに収容され、上記弾性変形していた一対のアッパアーム１６ａ，１６ａが復帰して（正規の間隔に戻って）一対のブッシュ１７ｃ，１７ｃを圧縮する。このとき一対の通孔１７ａ，１７ａが一対の穴１７ｂ，１７ｂに一致しているので、これらの通孔１７ａ，１７ａ及び穴１７ｂ，１７ｂに一対のアッパボルト１７ｅ，１７ｅをそれぞれ挿入して一対のアッパナット１７ｇ，１７ｇに螺合した後（図２（ｃ）及び図４）、一対のロアアーム１６ｂ及びロアタンク１３を結合するロアボルト１８ａを本締めする。このような簡単な作業でラジエータサポート１６をアッパタンク１２及びロアタンク１３に結合できる。
【００２３】
またアッパボルト１７ｅ及びアッパナット１７ｇ間に、穴１７ｂから僅かに突出するカラー１７ｄを介装することにより、アッパタンク１２とアッパアーム１６ａとの間に僅かな隙間２１（図４）が形成されるため、アッパタンク１２とラジエータサポート１６とが相対変位できるようになる。この結果、ラジエータ１０内の冷却水が温度変化してラジエータ１０の各部材（ラジエータコア１１、アッパタンク１２、ロアタンク１３、ラジエータサポート１６等）が熱膨張及び熱収縮の相違に基づきラジエータ１０内に歪みが発生しようとするけれども、ブッシュ１７ｃが弾性変形してアッパタンク１２とラジエータサポート１６とが相対変位することにより、上記歪みを吸収できる。従って、ラジエータ１０内部に繰返し応力が作用しないので、ラジエータ１０の疲労破壊を防止できる。
【００２４】
なお、上記実施の形態では、アッパ結合手段がブッシュ、カラー及びアッパ拡幅手段を有することにより、ラジエータの各部材の熱膨張及び熱収縮の相違に基づく各部材間の歪みを吸収したが、ロア結合手段がブッシュ、カラー及びロア拡幅手段を有することにより、ラジエータの各部材の熱膨張及び熱収縮の相違に基づく各部材間の歪みを吸収してもよい。この場合、ロア結合手段が、上記一対の通孔、一対の穴、一対のロアボルト、一対のロアナット収容凹部及び一対のロアナットに加えて、一部が一対の穴から突出するように一対の穴にそれぞれ挿入されたゴム製の一対のブッシュと、一部が一対の穴から突出するように一対のブッシュにそれぞれ挿入された金属製の一対のカラーと、一対のロアアーム及びロアタンクに一対のロアアームの先端を拡げるロア拡幅手段とを更に有する。
【００２５】
またロア拡幅手段は、ロアタンクの側端面から一対の穴に向うに従って次第に拡がるように上記側端面及び一対の穴間にそれぞれ形成された一対の傾斜面と、互いに近付く方向に突出するように一対のロアアームにそれぞれ形成された一対の凸部とを有し、一対のロアアームをロアタンクに嵌入するとき一対の凸部が一対の傾斜面に接触して一対のロアアームの先端の間隔を拡げるように構成される。更にロアタンクの一対の穴と一対の傾斜面との間に一対の凸部を収容するための一対の凹部がそれぞれ形成される。
【００２６】
【発明の効果】
以上述べたように、本発明によれば、一対のアッパアームの先端にアッパ結合手段の一対の通孔を形成し、一対の通孔に対向するようにアッパタンクに一対の穴を形成し、一部が一対の穴から突出するように一対の穴にゴム製の一対のブッシュを挿入し、更に一対のアッパアーム及びアッパタンクに一対のアッパアームの先端を拡げるアッパ拡幅手段を設けたので、アッパタンクの一対の穴に一対のブッシュを挿入した状態で、一対のアッパアームをアッパタンクに嵌入していくと、アッパ拡幅手段が一対のアッパアームの先端の間隔を拡げる。この結果、一対のアッパアームの先端が一対の穴から突出している一対のブッシュの外周面に接触しないので、一対のブッシュの外周面が一対のアッパアームにより損傷することはない。
【００２７】
またアッパタンクの側端面から一対の穴に向うに従って次第に拡がるように上記側端面及び一対の穴間に一対の傾斜面を形成し、互いに近付く方向に突出するように一対のアッパアームに一対の凸部を形成すれば、一対のアッパアームをアッパタンクに嵌入するとき、一対の凸部が一対の傾斜面に接触して一対のアッパアームの先端の間隔が次第に拡げられる。この結果、一対のアッパアームの先端が一対の穴から突出している一対のブッシュの外周面に接触しないので、一対のブッシュの外周面が一対のアッパアームにより損傷することはない。
【００２８】
またアッパタンクの一対の穴と一対の傾斜面との間に一対の凸部を収容するための一対の凹部をそれぞれ形成すれば、一対のアッパアームをアッパタンクに嵌入して、一対の凸部が一対の傾斜面に接触して一対のアッパアームの先端の間隔が拡げられた後に、更に一対のアッパアームをアッパタンクに嵌入していくと、一対の凸部が一対の凹部に収容される。この結果、上記弾性変形していた一対のアッパアームが正規の間隔に戻るので、これらのアッパアームにより一対のブッシュが圧縮されるとともに、一対の通孔が一対の穴に一致する。
【００２９】
また一対のロアアームの先端にロア結合手段の一対の通孔を形成し、一対の通孔に対向するようにロアタンクに一対の穴を形成し、一部が一対の穴から突出するように一対の穴にゴム製の一対のブッシュを挿入し、更に一対のロアアーム及びロアタンクに一対のロアアームの先端を拡げるロア拡幅手段を設ければ、ロアタンクの一対の穴に一対のブッシュを挿入した状態で、一対のロアアームをロアタンクに嵌入していくと、ロア拡幅手段が一対のロアアームの先端の間隔を拡げられる。この結果、一対のロアアームの先端が一対の穴から突出している一対のブッシュの外周面に接触しないので、一対のブッシュの外周面が一対のロアアームにより損傷することはない。
【００３０】
またロアタンクの側端面から一対の穴に向うに従って次第に拡がるように上記側端面及び一対の穴間に一対の傾斜面を形成し、互いに近付く方向に突出するように一対のロアアームに一対の凸部を形成すれば、一対のロアアームをロアタンクに嵌入するとき、一対の凸部が一対の傾斜面に接触して一対のロアアームの先端の間隔が次第に拡げられる。この結果、一対のロアアームの先端が一対の穴から突出している一対のブッシュの外周面に接触しないので、一対のブッシュの外周面が一対のロアアームにより損傷することはない。
【００３１】
更にロアタンクの一対の穴と一対の傾斜面との間に一対の凸部を収容するための一対の凹部をそれぞれ形成すれば、一対のロアアームをロアタンクに嵌入して、一対の凸部が一対の傾斜面に接触して一対のロアアームの先端の間隔が拡げられた後に、更に一対のロアアームをロアタンクに嵌入していくと、一対の凸部が一対の凹部に収容される。この結果、上記弾性変形していた一対のロアアームが正規の間隔に戻るので、これらのロアアームにより一対のブッシュが圧縮されるとともに、一対の通孔が一対の穴に一致する。
【図面の簡単な説明】
【図１】本発明実施形態ラジエータサポートの取付構造を示す要部分解斜視図。
【図２】そのラジエータサポートの組付手順を示す要部平面図。
【図３】図２（ａ）のＡ部拡大断面図。
【図４】図２（ｃ）のＢ部拡大断面図。
【図５】そのラジエータの斜視図。
【符号の説明】
１０  ラジエータ
１１  ラジエータコア
１２  アッパタンク
１３  ロアタンク
１６  ラジエータサポート
１６ａ  アッパアーム
１７  アッパ結合手段
１７ａ  通孔
１７ｂ  穴
１７ｃ  ブッシュ
１９  アッパ拡幅手段
【図１】
2005016764.tif 000003
【図２】
2005016764.tif 000004
【図３】
2005016764.tif 000005
【図４】
2005016764.tif 000006
【図５】
2005016764.tif 000007